(57)【要約】【課題】カード型の情報記録媒体の情報記録部を簡単な構成で、かつカード型情報記録媒体の利便性を損なうことなく保護して、保護カードにて装飾性の向上と各種情報を明示とが行なえるようにする。【解決手段】保護カード１を、カード基材６と、カード基材６のカード型情報記録媒体２への重ね合わせ面６ａ側とは反対側の面６ｂに位置して絵柄印刷などから形成された化粧部７と、カード基材６の重ね合わせ面６ａに位置して文字や図や絵などから形成された情報印刷部８と、カード基材６の重ね合わせ面６ａ側に位置して少なくともカード型情報記録媒体２の情報記録部３に対応する領域に設けられてカード型情報記録媒体２に剥離可能に貼着する貼着手段９とから形成した。【選択図】    図１
2004168334.tif 000002
【特許請求の範囲】
【請求項１】
カード型情報記録媒体の外形状に対応した形状を有し、このカード型情報記録媒体の情報読み出し面側の片面に重ね合わせて前記片面を覆う保護カードであって、
カード基材と、前記カード基材のカード型情報記録媒体への重ね合わせ面側とは反対側の面に位置して絵柄印刷などから形成された化粧部と、カード基材の前記重ね合わせ面に位置して文字や図や絵などから形成された情報印刷部と、カード基材の前記重ね合わせ面側に位置して少なくともカード型情報記録媒体の情報記録部に対応する領域に設けられてカード型情報記録媒体に剥離可能に貼着する貼着手段とを備えることを特徴とするカード型情報記録媒体用保護カード。
【請求項２】
上記貼着手段は透明または半透明である請求項１に記載のカード型情報記録媒体用保護カード。
【請求項３】
上記カード基材の重ね合わせ面の領域中、上記貼着手段が位置しない非貼着部分に上記情報印刷部が位置している請求項１または２に記載のカード型情報記録媒体用保護カード。
【発明の詳細な説明】
【０００１】
【発明の属する技術分野】
本発明はカード型情報記録媒体の情報読み出し面側の片面に重ね合わせる保護カードに関するものである。
【０００２】
【従来の技術】
近年、記録容量の大きさや安価で大量生産にも適しているなどの理由から、ＣＤ−ＲＯＭやＤＶＤ−ＲＯＭなどのようにドーナツ状とした情報記録部の中央にドライブ孔を有し、そのドライブ孔を中心にした高速回転の下で光学的に情報を記録したり記録情報を読み出したりできるようにした円盤状の情報記録媒体が広く利用され、この情報記録媒体に対応したドライブ装置を標準装備するパソコンも広く普及してきている。そして、このような現状から、前記ドライブ装置を利用した情報読み出し方式に合致する情報記録媒体であれば、身近なパソコンで情報の表示が簡単に行なえることになり、このため、カード型ＣＤ−ＲＯＭなどのように形状をカード型とした情報記録媒体が利用され始めている。
【０００３】
上記カード型情報記録媒体は通常のドーナツ形状のものと比較すれば情報の記録容量が小さいものの、会社案内や商品紹介などの情報を記録するのには十分な容量を有しており、これらの情報を文字情報、静止画情報、動画情報などとして記録できるため、紙に印刷してなるパンフレットやカタログなどと比較すれば格段に多量の情報を提供できる記録媒体であって、前述の会社案内や商品紹介などの情報を提供する場合に有利であり、取り扱いも簡単で携帯もし易いものである。
さらに、カード型情報記録媒体の大きさにおいて、名刺サイズであるならば名刺用として、またトレーディングカードサイズならばトレーディングカード用として提供されている収納ケース、収納袋、各種カード用の文房具用品や事務用品などがそのまま使用可能となる。
【０００４】
一方、上記カード型情報記録媒体が小型でその取り扱いが容易であることから、逆に電子情報記録媒体を取り扱う場合の注意が払われ難くなり、不用意な取り扱いで情報読み出し面側で表出している情報記録部が汚損されたり傷付いたりして、適正な情報の読み出しが行なえない場合がある。勿論、情報記録部を保護するためにＣＤ−ＲＯＭの場合（例えば特許文献１参照）のような専用のハードケースを用いることも考えられるが、このハードケースにカード型情報記録媒体を収納してしまうと、取り扱いが容易であるという点や既存の収納ケースや収納袋などが利用できるという利点を大きく損なうことから、ハードケースを用いていないのが現状である。
【０００５】
【特許文献１】
実開平４−１２４９８５号公報（第１頁）
【０００６】
【発明が解決しようとする課題】
以上の点から、本出願人にあっては、先に、カード型情報記録媒体と同等のコンパクトな形態でありながら情報記録部を保護する保護カードとこのカード型情報記録媒体とが嵩張ることなく一体的に取り扱えるようになる提案を行なった。
そして、このようなコンパクトでカード型情報記録媒体と保護カードとを組み合わせた形態において、カード型情報記録媒体の情報読み出し面側とは反対側の面（レーベル面）と保護カードの外面との両者に文様、絵柄などを施すようにすれば、装飾性や商品性が頗る高まるという有用な点に着目され、かつ、カード型情報記録媒体自体の取り扱い注意事項やカード記録媒体に記録された内容に対応する説明などの情報を、この保護カードで使用者側に明示できるようにしたいとの要望もなされるようになった。
このため、本発明は上記事情に鑑み、カード型ＣＤ−ＲＯＭなどのカード型の情報記録媒体の情報読み出しを行なう情報記録部を簡単な構成で、かつカード型情報記録媒体の利便性を損なうことなく保護することを課題として、保護カードにて装飾性の向上と各種情報を明示とが行なえるようにすることを目的とするものである。
【０００７】
【課題を解決するための手段】
本発明は上記課題を考慮してなされたもので、カード型情報記録媒体の外形状に対応した形状を有し、このカード型情報記録媒体の情報読み出し面側の片面に重ね合わせて前記片面を覆う保護カードであって、カード基材と、前記カード基材のカード型情報記録媒体への重ね合わせ面側とは反対側の面に位置して絵柄印刷などから形成された化粧部と、カード基材の前記重ね合わせ面に位置して文字や図や絵などから形成された情報印刷部と、カード基材の前記重ね合わせ面側に位置して少なくともカード型情報記録媒体の情報記録部に対応する領域に設けられてカード型情報記録媒体に剥離可能に貼着する貼着手段とを備えることを特徴とするカード型情報記録媒体用保護カードを提供して、上記課題を解消するものである。
そして、本発明において、上記貼着手段は透明または半透明であることが良好であり、また、上記カード基材の重ね合わせ面の領域中、上記貼着手段が位置しない非貼着部分に上記情報印刷部が位置していることが良好である。
【０００８】
【発明の実施の形態】
つぎに本発明を図１から図１１に示す実施の形態に基づいて詳細に説明する。図中１はカード型情報記録媒体用保護カードで、この保護カード１は図１に示されているようにカード型情報記録媒体２の外形状に同一としてそのカード型情報記録媒体２の情報読み出し面側の片面に重ね合わされるものである。なお、カード型情報記録媒体２自体は例えば通常のカード型ＣＤ−ＲＯＭなどであって、片面を情報読み出し面側とし、情報記録部３を有して中央にドライブ孔４が設けられている。さらに前記情報記録部３におけるカード型情報記録媒体２の長手方向に相対する一対の外周部分は、８ｃｍＣＤ−ＲＯＭとドライブ孔同士を一致させたときのその８ｃｍＣＤ−ＲＯＭの外周部分に対応しており、その一対の外周部分に、８ｃｍＣＤ−ＲＯＭの外周形状に対応した円弧状段差部５が設けられている。そして、通常の１２ｃｍＣＤ−ＲＯＭなどをトレイに乗せ置くタイプのドライブ装置においては、トレイに８ｃｍＣＤ−ＲＯＭ用受け部があって、そのトレイにカード型情報記録媒体２をセットしたときに８ｃｍＣＤ−ＲＯＭ用受け部に前記円弧状段差部５が対応して位置決めを行なえるようにしているものである。
【０００９】
上記カード型情報記録媒体用保護カード１は積層構成を有しているものであって、図２に示すようにシート状のカード基材６と、このカード基材６のカード型情報記録媒体２への重ね合わせ面６ａ側とは反対側の面６ｂに形成された化粧部７と、カード基材６の重ね合わせ面６ａに形成された情報印刷部８と、さらにこの情報印刷部８に弱粘着力の粘着剤を層状に配して設けられた貼着手段９とからなるものである。
まず、上記カード基材６は紙や合成樹脂シートから形成されている。そして、このカード基材６の面６ｂに位置する化粧部７は前記面６ｂに図柄、絵柄などを印刷してポリプロピレンフィルムなどの透明な合成樹脂フィルム７ａにて覆ってなるものであり、この保護カード１をカード型情報記録媒体２と適正に重ね合わせたときに、このカード型情報記録媒体２のレーベル面と同じように前記化粧部７が外方に表出する部分となる。
【００１０】
また、上記情報印刷部８は、カード基材６の重ね合わせ面６ａに文字、図、絵などを印刷して、カード型情報記録媒体に記録された書籍データに対する奥付なったりＰＬ注意表示、使用方法などを内容とする情報８ａを表示し、これらの情報８ａをポリプロピレンフィルムなどの透明な合成樹脂フィルム８ｂで覆ったものである。さらに上記貼着手段９はカード型情報記録媒体２の情報記録部３の形状と同じにして重ね合わせたときの情報記録部３に対応する位置にして弱粘着力の粘着剤を塗布してなるものである。そして、この貼着手段９を形成する粘着剤はカード型情報記録媒体２の樹脂材に対して劣化などの影響を及ぼすことのない材料から選択された弱粘着物質からなるものであり、例えば弱粘着性を備えているシリコン素材からなり、情報記録部３に対して剥離可能に貼着することができるものである。図２に示すように、前記貼着手段９を情報記録部３の情報読み出し面側に貼り付けるようにすることで、保護カード１とカード型情報記録媒体２とを剥離可能に重ね合わせることができる。
【００１１】
上述のようにカード型情報記録媒体２の情報読み出し面側に保護カード１を重ね合わせた状態すれば、カード型情報記録媒体２を持ったり携帯したりした際に他の物品などが情報記録部３側にぶつかったり擦れたりすることがあっても、保護カード１で情報記録部３が保護され、そして、分離する際にも情報記録部３を損傷させることなく保護カード１とカード型情報記録媒体２とを容易に分けることができる。
また、一旦、分離された保護カード１をカード型情報記録媒体２の情報読み出し面側に重ね合わせるに際しても、保護カード１とカード型情報記録媒体２との外周の形状が同じであることから両者の辺部相互を位置合わせしながら重ね合わせるようにすることで、貼着手段９が情報記録部３に対応することとなり、この貼着手段９を簡単に情報記録部３に貼り付けることができる。
【００１２】
上記情報印刷部８に重ねて形成される貼着手段９は透明または半透明としている。これによって貼着手段９が位置していない部分の情報印刷部８で表示された情報８ａを目視できることは勿論のこと、貼着手段９が重なっている部分の情報印刷部８で表示された情報８ａも、貼着手段９を通して目視できるものとしている。前記情報印刷部８は重ね合わせ面６ａの全領域に形成されていて、貼着手段９の有無に関係なくこの保護シート１の重ね合わせ面６ａ側全面を情報表示面として形成し、多くの情報を使用者に提供できるようにしている。
また、上記貼着手段９が透明或いは半透明として情報印刷部８の情報表示の妨げとならないことから、図３に示すように貼着手段９を情報記録部３に対応したパターンに限定する必要はなく、重ね合わせ面６ａの全面にこの貼着手段９を設けるようにすることが可能である。
【００１３】
上記実施の例では貼着手段９を透明或いは半透明としているが、本発明はこれに限定されるものではなく、貼着手段９を有色にしてもよいものである。貼着手段９が有色である場合、情報８ａの透視が不可能であったり情報８ａが不鮮明となるため、貼着手段９が位置しない領域に情報印刷部８を設けるようにすることが好ましい。
図４は前述したように重ね合わせ面６ａの領域中、貼着手段９が位置しない非貼着部分１０に情報印刷部８を位置させた例を示している。このように非貼着部分１０に情報印刷部８を設けるようにすることは困難なものではなく、貼着手段９が有色である場合にも重ね合わせ面側で情報８ａを表示させる保護カード１が簡単に得られる。また、前記貼着手段９が有色である場合、保護カードの製造中の取り扱いや使用者がこの保護カードを取り扱うときにおいて、貼着手段９の存在と位置とが明確となり、貼着手段９が設けられている部分に不用意に触ることを防止できる。
【００１４】
上記例において非貼着部分１０に位置している情報印刷部８は、カード基材６に文字、符号、図などを印刷して形成されていて、上記実施の例のように透明な合成樹脂フィルム８ｂに覆われてはいないものである。このように情報印刷部８が透明な合成樹脂フィルム８ｂを備えていないことから、保護カード１とカード型情報記録媒体２とを重ね合わせした形態の時点で前記情報印刷部８の印刷インキなどがカード型情報記録媒体の情報読み出し面側に転移する可能性が問題とされるかもしれない。しかしながら、本保護カード１ではこの情報印刷部８からカード型情報記録媒体２への転移を防止している。
【００１５】
即ち、上記情報印刷部８はカード基材６の重ね合わせ面６ａに印刷を施してなるものであって、情報印刷部８の厚さは極めて小さいものであり、一方、貼着手段９は上述したように粘着剤を塗布してなり、貼着手段９の厚さは情報印刷部８に比べて大きい。そして保護カード厚さ方向での貼着手段９の上面の高さ位置が、前記情報印刷部８の表面の高さ位置よりも高くなる。さらに、保護カード１の重ね合わせ面６ａと相対するカード型情報記録媒体２にあっても、情報記録部３がその周囲部分より若干高く形成されているため、層状の貼着手段９と情報記録部３とを対応させた状態で保護カード１とカード型情報記録媒体２とを重ね合わせても、情報印刷部８と情報記録部３との間に隙間が形成されて、印刷インキなどが情報記録部３の周辺に転移することが防止されている。
なお、カード型情報記録媒体１の形態によっては図示するように情報印刷部８の内周側にリング状の突堤を設けるようにしたものがある。この場合、リング状の突堤に対応する部分には情報印刷部８における情報印刷を行なわないようにするか、或いはリング状の突堤に対応する位置まで貼着手段９を設けるようにすることが良好である。
先の実施の例のように情報印刷部８が情報を合成樹脂フィルムにて覆ってなるものである場合には、上述した印刷インキの転移は生じない。
【００１６】
上記実施の例では非貼着部分１０に情報印刷部８を位置させているため、カード型情報記録媒体２の情報記録部３に直接印刷インクが転移することはない。また、貼着手段９を透明或いは半透明とし、合成樹脂フィルムを有しない情報印刷部８がカード型情報記録媒体２の情報記録部３に相対するように設けられている場合でも、貼着手段９を層状に形成することで、保護カード１とカード型情報記録媒体２とを重ね合わせても情報印刷部８と情報記録部３の表面との間に貼着手段９が位置しているため、印刷インキなどの転移が防止される。
さらに貼着手段９をつぎのような構成とした場合でも印刷インキなどの転移は防止される。図５の例は重ね合わせ面６ａにおける情報記録部３に対応する領域で、貼着手段９をベタの層状とはせずに不連続状にして設けている。このようにした場合にあっても、上述したように保護カード１の重ね合わせ面６ａでは貼着手段９の上面の高さ位置が情報印刷部８より高いため、保護カード１とカード型情報記録媒体２とを重ね合わせても、情報印刷部８と情報記録部３とが直接相対する個所でも貼着手段９の盛り厚によって、前記情報印刷部８と情報記録部３との間に隙間を形成して、両者が直接接触することがないようにしている。よって、情報印刷部８から情報記録部３への印刷インキなどの転移が防止される。
【００１７】
上記貼着手段９を重ね合わせ面６ａに全面的に設ける場合、以下のようにすることが良好である。なお、以下の各例において情報印刷部８の情報８ａはこの貼着手段９を通して目視できるものとしている。
カード型情報記録媒体２の情報読み出し面側では、ドライブ装置による情報読取時に適正な回転状態が得られるようにするなどの理由によってドライブ孔４の周辺や情報記録部３の境界部分などに凸部、凹部、段差などを同心状態にして設けていて、情報読み出し面側の表面は凹凸のある形状となっている場合がある。
そこで、図６に示すように保護カード１の重ね合わせ面６ａ側の全面に透明、或いは半透明とした貼着手段９を設けるとともに、この貼着手段９におけるカード型情報記録媒体２側の面を、カード型情報記録媒体２における情報読み出し面側の表面凹凸形状に合致している表面凹凸形状を有するものとする。このようにすることによってカード型情報記録媒体２に対する保護カード１の貼り付け状態がより一層安定するようになる。
上記貼着手段９を得る場合には、予め、カード型情報記録媒体の情報読み出し面側の形状と同一にしてドライブ孔に対応する部分を平坦にした型に貼着手段の形成素材を流し込むなどして硬化させ、後にカード側に転移するように型抜きすればよい。
【００１８】
さらに図７に示す例にあっては、保護カード１の重ね合わせ面６ａ側におけるドライブ孔４の対応位置にそのドライプ孔４に入り込んでそのカード型情報記録媒体２の情報読み出し面とは反対側のレーベル面１１とほぼ面一となる化粧円板１２を配し、その他の領域に貼着手段９を施しているものである。
上記化粧円板１２には、前記レーベル面１１の色合いや模様などに連続する装飾が施されていて、レーベル面１１を見た場合に前記ドライブ孔４の存在が強調されず、よって、カード型情報記録媒体２の外観が整えられるようになる。この化粧円板１２をドライブ孔４に対して係脱可能なものとすることができ、化粧円板の係止と上記貼着手段による貼付けとで保護カードとカード型情報記録媒体との貼り合わせ状態をより安定させることが可能となる。
上記カード型情報記録媒体２のレーベル面１１と化粧円版１２の上面とに連続した模様などを施す手法としては、例えば、レーベル面１１と化粧円版１２の上面とに模様が施されていない状態でカード型情報記録媒体２と保護カード１とを重ね合わせて化粧円板１２の上面をレーベル面１１と面一にし、この状態で印刷を行なえばよく、これによってレーベル面１１と化粧円版１２の上面とに連続した模様などが形成できる。そして、前記印刷に際してはシルクスクリーン印刷やオフセット印刷が採用できる。
【００１９】
本保護カード１では以下の実施の形態に示されているように、カード型情報記録媒体２に係止する手段をも備えているものとすることができる。なお、以下の各実施の形態において、係止する手段に重ならないようにして重ね合わせ面６ａの全面に透明或いは半透明の貼着手段９と情報印刷部８が設けられているものである。勿論、情報記録部３に対応するパターンにして透明或いは半透明の貼着手段を設けることも可能である。
まず、図８に示す例では、保護カード１におけるカード基材６の重ね合わせ面６ａの四ヶ所には、情報記録部３の円弧状段差部５に係脱可能に係合している係止手段１３が保護カード１のカード基材６と一体的にして設けられていて、一つの円弧状段差部５に対して二つの係止手段１３が対応している。このように前記係止手段１３を、二つの対向している円弧状段差部５それぞれに係合させることで情報記録部３を覆っており、前記係止手段１３がカード型情報記録媒体２（円弧状段差部５）に係脱可能に係止でき、上記貼着手段９がカード型情報記録媒体２の情報読み出し面側に剥離可能に貼着するため、必要に応じてカード型情報記録媒体２と保護カード１とを分離できるように重ね合わされる。
【００２０】
上記保護カード１をカード型情報記録媒体２の情報読み出し面側に重ね合わせれば、保護カード１とで組となったカード型情報記録媒体２を持ったり携帯したりした際に他の物品などが情報記録部３側にぶつかったり擦れたりすることがあっても、保護カード１で情報記録部３が保護され、そして、分離する際にも、何ら情報の存在しない円弧状段差部５から係止手段１３が外れ、また弱粘着性の貼着手段９がカード型情報記録媒体の情報読み出し面側から剥離するだけであるため、情報記録部３を損傷させることなく保護カード１をカード型情報記録媒体２から容易に取り外すことができる。
また、一旦、分離された保護カード１をカード型情報記録媒体２の情報読み出し面側に重ね合わせるに際しても、上述した実施の例と同じように保護カード１とカード型情報記録媒体２との外周の形状が同じであることから両者の辺部相互を位置合わせしながら重ね合わせてから、保護カード１をカード型情報記録媒体２側に押し付けるようにすることで、貼着手段９がカード型情報記録媒体２の情報読み出し面に貼着し、係止手段１３それぞれが円弧状段差部５に係合するようになり、よって手間なく情報記録部３が保護カード１で保護された状態のカード型情報記録媒体２が得られるようにしている。
【００２１】
上記実施の例では係止手段１３を円弧状段差部５それぞれに二つずつ対応させているが、係止手段１３が円弧状段差部５に係合してカード型情報記録媒体２と保護カード１とが分離可能に重ね合わされればよいものであって、円弧状段差部５に対する上記係止手段１３の個数が限定されるものではない。
また、上記係止手段１３は、上記円弧状段差部５に係脱可能に係合するものに限定されない。図９は係止手段１３をも併せ持つその他の例を示していて、この例では、保護カード１を周壁１４を有する浅底のトレイ形状とし、その周壁１４をカード型情報記録媒体２の外周部に係脱可能に係合する係止手段１３としているものである。
【００２２】
保護カード１の上記化粧部７は模様ばかりでなく各種の情報を併せて表示するようにしてもよい。そして、上記情報印刷部８で表示される情報８ａの内容を、カード型情報記録媒体２の取り扱い説明などのような共通の内容とすれば、カード型情報記録媒体２に対して保護カード１を交換することで、組み合わせ形態での外観を容易に変更させることができる。
なお、上記貼着手段９はシリコン素材から得られるものとして説明したが、具体的な一例として、シリコンゴムなどに対して、ジメチルポリシロキサン、メチルビニルポリシロキサンなどの有機けい素化合物、シリカなどの充填剤や分散剤などを添加して得られたコンパウンドに有機過酸化物などの加硫剤を添加したものを塗布形成などして得られる。
【００２３】
上述したように保護カード１は、カード型情報記録媒体２の情報読み出し面側に重ね合わせて上記情報記録部３を保護することから、保護カード１とカード型情報記録媒体２とを組み合わせた状態で取り扱えば、上述したように情報記録部３が汚れたり傷付けられることがなく、そのため、カード型情報記録媒体２の取り扱いが容易になる。
また、カード型情報記録媒体２および保護カード１の外周の形状は、一般的に使用されている名刺やトレーディングカードなどと同じであり、上記実施の例にあっては例えばトレーディングカードのサイズに合わせて形成されているものである。そのため、トレーディングカード用として既に存在する収納ケースなどを利用することができ、重ね合わせた形態での保管、管理が簡単になる。図１０は一枚のトレーディングカードを収めるための一辺開放型のソフトケース１５に、保護カード１とカード型情報記録媒体２とを重ね合わせたものを入れる状態を示している。
また図１１にあっては、９枚のトレーディングカードを配列して収納するフォルダー１６を、複数組の保護カード１とカード型情報記録媒体２を管理収納するために用いた状態を示していて、保護カード１とカード型情報記録媒体２がトレーディングカードと同じ大きさであることから、前記フォルダー１６における収納部１７それぞれに重ね合わせた保護カード１とカード型情報記録媒体２の組を入れることができ、保護カードを重ねたカード型情報記録媒体用として専用の収納用具を作成する必要はない。
勿論、保護カードとカード型情報記録媒体とが名刺サイズのものであってもよく、この場合にも名刺の収納管理用などとして既に存在する文房具用品や事務用品が、保護カードを重ねたカード型情報記録媒体の収納用具として利用することができる。
【００２４】
上記保護カード１を重ね合わせたカード型情報記録媒体２をドライブ装置にセットする際には、保護カード１を分離すればよく手間の要するものではない。また、保護カード１が重ね合わされた状態のままドライブ装置にセットしようとした場合でも、保護カード１が重ね合わされていることが容易に分かる。即ち、ドライブ装置へのセット時において、ドライブ装置側の支持機構をドライブ孔に嵌め入れるタイプのものであれば、ドライブ孔が保護カード１により覆われていることから、保護カード１の存在に気が付くことになる。そして、ＣＤ−ＲＯＭなどのドーナツ状の情報記録媒体をトレイに乗せ置くタイプのものであれば、トレイ側に形成されているシングルＣＤ配置用の凹所形状に保護カード１の平滑な表面形状が対応せず、よってカード型情報記録媒体が浮いた状態となって保護カード１の存在に気付くことになる。
このようにカード型情報記録媒体の利用可能なドライブ装置のいずれのタイプにおいても、保護カード１にて情報記録部３が覆われた状態ではセットできないように設けられている。
【００２５】
【発明の効果】
以上説明したように本発明のカード型情報記録媒体用保護カードによれば、カード型情報記録媒体の外形状に対応した形状を有し、このカード型情報記録媒体の情報読み出し面側の片面に重ね合わせて前記片面を覆うものであって、カード基材と、前記カード基材のカード型情報記録媒体への重ね合わせ面側とは反対側の面に位置して絵柄印刷などから形成された化粧部と、カード基材の前記重ね合わせ面に位置して文字や図や絵などから形成された情報印刷部と、カード基材の前記重ね合わせ面側に位置して少なくともカード型情報記録媒体の情報記録部に対応する領域に設けられてカード型情報記録媒体に剥離可能に貼着する貼着手段とを備えることを特徴とするものである。
これによって、保護カードをカード型情報記録媒体の情報読み出し面側の片面に重ね合わせるようにすれば、貼着手段が情報読み出し面側に貼着して情報記録部を保護カードで覆うようになり、この保護カードにて情報記録部を保護することがてきる。よって、保護カードとカード型情報記録媒体とを重ね合わせた組み合わせを手持ちする場合でも、情報記録部に指先が触れないようにするなどの注意を払う必要がなく、カード型情報記録媒体の取り扱いが簡単になる。
さらに、重ね合わせ面側に情報印刷部が設けられているため、カード型情報記録媒体との重ね合わせ形態では、情報印刷部の情報を隠した状態にして外部からは見えないようになり、重ね合わせ形態での外観が、取り扱い注意事項など文字情報表示によって損なわれるということを簡単に避けることができる。また、重ね合されていたカード型情報記録媒体から剥ぐように分離させるという簡単な操作で情報印刷部で示されている情報を確認することができ、カード型情報記録媒体自体の使用勝手を損なうことなく使用者側に情報の明示が行なえるようになる。
そして、保護カードを分離してドライブ装置にカード型情報記録媒体をセットするときの注意点などを使用者側に伝える上で、セット直前まで一体的に取り扱われる保護カードを利用できるようになり、この保護カードが情報の有利な伝達媒体となる。
【００２６】
さらに、本発明において、貼着手段を透明または半透明とすれば、情報印刷部に重なるようにして貼着手段を設けることができ、情報印刷部を配する位置が制限されないようになる。
【００２７】
また、本発明において、カード基材の重ね合わせ面の領域中、貼着手段が位置しない非貼着部分に情報印刷部を位置させるようにすれば、貼着手段自体を有色のものとすることが可能となり、この貼着手段を有色とすることで保護カードの製造時点や使用者が取り扱う時点で貼着手段の有無や位置が明確になって誤って貼着手段に触れるなどの不具合を解消することができる。
さらに、貼着手段の盛り厚によって情報印刷部とカード型情報記録媒体の情報読み出し面との間に隙間が開いて、情報印刷部の印刷インキなどが情報ようみ取り面側に転移することがないとともに、貼着手段が情報印刷部と重ならないことから、その情報印刷部の表示形態がより鮮明なものになるなど、実用性に優れた効果を奏するものである。
【図面の簡単な説明】
【図１】本発明に係るカード型情報記録媒体用保護カードの一例をカード型情報記録媒体から分離した状態で示す説明図である。
【図２】一例の保護カードとカード型情報記録媒体との重ね合わせを分離状態の断面で示す説明図である。
【図３】第二の例を示すもので、（イ）は保護カードとカード型情報記録媒体とを重ね合わせた状態を示す説明図、（ロ）は保護カードとカード型情報記録媒体との重ね合わせを分離状態の断面で示す説明図である。
【図４】第三の例の保護カードとカード型情報記録媒体との重ね合わせを分離状態の断面で示す説明図である。
【図５】第四の例の保護カードとカード型情報記録媒体との重ね合わせを分離状態の断面で示す説明図である。
【図６】第五の例を示すもので、（イ）は保護カードの重ね合わせ面側を示す説明図、（ロ）は保護カードとカード型情報記録媒体との重ね合わせを分離状態の断面で示す説明図である。
【図７】第六の例を示すもので、（イ）は保護カードの重ね合わせ面側を示す説明図、（ロ）は保護カードとカード型情報記録媒体との重ね合わせを分離状態の断面で示す説明図である。
【図８】第七の例を示すもので、（イ）は保護カードの重ね合わせ面側を示す説明図、（ロ）は保護カードとカード型情報記録媒体との重ね合わせを分離状態で（イ）Ａ−Ａ線に沿った断面で示す説明図である。
【図９】第八の例を示すもので、（イ）は保護カードの重ね合わせ面側を示す説明図、（ロ）は保護カードとカード型情報記録媒体との重ね合わせを分離状態で（イ）Ｂ−Ｂ線に沿った断面で示す説明図である。
【図１０】保護カードとカード型情報記録媒体との一組の収納形態の例を示す説明図である。
【図１１】保護カードとカード型情報記録媒体との複数組の収納形態の例を示す説明図である。
【符号の説明】
１…保護カード
２…カード型情報記録媒体
３…情報記録部
６…カード基材
６ａ…重ね合わせ面
８…情報印刷部
８ａ…情報
８ｂ…合成樹脂フィルム
９…貼着手段
１０…非貼着部分
１５…ソフトケース
１６…フォルダー
【図１】
2004168334.tif 000003
【図２】
2004168334.tif 000004
【図３】
2004168334.tif 000005
【図４】
2004168334.tif 000006
【図５】
2004168334.tif 000007
【図６】
2004168334.tif 000008
【図７】
2004168334.tif 000009
【図８】
2004168334.tif 000010
【図９】
2004168334.tif 000011
【図１０】
2004168334.tif 000012
【図１１】
2004168334.tif 000013